(57)【特許請求の範囲】
【請求項１】
２つの長方形面（１Ｘ）を連結部で折ってできる２傾斜面（１）の左右に三角形面二対（２Ｔ）を外側に角度をつけて結合した六角形のハニカム形状の開口縁を有する杯状の立体形であるハニカム杯型セルを隙間なく並べたハニカム杯体を片面とし、開口縁の反対側に位置する連結部の折り返し線を中心に長方形面（１Ｘ）の一部を覆う面をもつ幅広蛇腹帯体（１０）でハニカム杯体を結合した内部にハニカム杯体下空隙層（１２）をもつ蛇腹接合ハニカム杯体。
【請求項２】
２傾斜面（１）と三角形面二対（２Ｔ）と幅広蛇腹帯体（１０）とが、紙、プラスチック、金属板、不織布、布、木材板、陶磁器板の何れかでの組み合わせである請求項１に記載される蛇腹接合ハニカム杯体。  
【請求項３】
ハニカム形状の開口縁が平面上に位置する請求項２に記載される蛇腹接合ハニカム杯体。
【請求項４】
ハニカム杯体の２傾斜面（１）を上下の連結部で角度をかえて湾曲させ幅広蛇腹帯体を接合した曲面形状をとる請求項２に記載される蛇腹接合ハニカム杯体。  
【請求項５】
蛇腹接合ハニカム杯体に幅広蛇腹帯体側支持面を接合し幅広蛇腹帯体下空隙層（１３）をもつ請求項３又は４に記載される蛇腹接合ハニカム杯体。
【請求項６】
請求項３と請求項４の蛇腹接合ハニカム杯体についてはハニカム杯体下空隙層（１２）に、請求項５の蛇腹接合ハニカム杯体についてはハニカム杯体下空隙層（１２）と幅広蛇腹帯体下空隙層（１３）の両者または一方に、活性炭、吸湿剤、脱臭剤、芳香剤、モルタル、粘土、無機質充填材、木材のいずれかを配置している蛇腹接合ハニカム杯体
【請求項７】
請求項３と請求項４と請求項５と請求項６の蛇腹接合ハニカム杯体に、ハニカム杯体側支持面を接合した閉鎖されたハニカム杯面内空隙部をもつ蛇腹接合ハニカム杯体。
【発明の詳細な説明】
【技術分野】
【０００１】
発明は、建築物や船舶、車両、あるいは美術工芸品にパネルとして使用され、ある  いはパネルの芯材として使用される軽量で強靭な蛇腹接合ハニカム杯体に関し、とくに、紙、プラスチック、金属板、不織布、布、木材板、陶磁器板などを折曲や成型加工をした内部に広い空隙層を持つ形状保持強度の優れた部材である蛇腹接合ハニカム杯体に関する。
【背景技術】
【０００２】
既存のハニカム構造体は、軽量で優れた圧縮強度を有することから種々の用途に使用される。また、多くの既存ハニカム構造体は、両面を開口する形状とするので、内部を閉鎖構造とするには、表面板を固定する必要がある。すなわち、表面板を使用しない状態では、空隙をもつパネルとして使用できない欠点がある。
【先行技術文献】
【特許文献】
【０００３】
このような欠点を解消するために、次の構造体が開発されている。（特許文献１および２参照）
【０００４】
【特許文献１】特開 2013-52581号公報
【特許文献２】特開2013-221283号公報
【発明の概要】
【発明が解決しようとする課題】
【０００５】
特許文献１と特許文献２は、既存ハニカム構造体と異なり凹部開口部（上部が開口して下部が閉鎖した窪み）をもち表面板で固定しなくても空隙利用が可能で軽量で強度もあるものであるが、これらの構造体は、パネル内部の空隙が部分毎に閉鎖されたもので、空隙利用をするための材料充填が困難である。また、放熱・断熱、防音処理（吸音・遮音）などにパネル面全体で空隙層を利用することを効果的にはできない欠点がある。
【０００６】
本発明は、以上の欠点を解決することを目的に開発されたものである。本発明の重要な目的は、軽量で既存のハニカム構造体に準じる圧縮強度をもつことに加えて、構造体内部に広い空隙層を持つ形状を強固に保持する蛇腹接合ハニカム杯体を提供することにある。
【０００７】
また、本発明の他の大切な目的は、空隙層の利用をそれぞれの片面材料の機能と組み合わせて活かすことができる蛇腹接合ハニカム杯体を提供することにある。たとえば、空隙の空気振動とハニカム杯体の面の膜振動を同時に吸音に利用するとともに幅広蛇腹帯体に遮音材を用い吸音と遮音の両方を効果的にできる防音をする、空隙層に充填した熱源剤を幅広蛇腹帯体の片面で断熱しハニカム杯体の片面で放熱利用する、充填する固形の調湿材料を両面で支持し調湿機能と圧縮強度の強化を両立することなどができる蛇腹接合ハニカム杯体を提供することにある。
【課題を解決するための手段】
【０００８】
ハニカム杯型セル５は、互いに平行に配置している平行縁３にジグザグ状に山形縁４を連結することで平行縁３と山形縁４を結ぶ六角形のハニカム形状の縁を形成している。なお、左右の片側端に位置するハニカム杯型セルは一方の三角形面二対が省かれてもちいられることがあり、その場合の支持する面は側片が開いた四線縁になることがある。
【０００９】
ハニカム杯型セル５を面状に接合したハニカム杯体６は、開口部にある対向するふたつの平行縁３の内側に、平行縁３から内側に延び、かつ中央に向かって下り勾配に傾斜する２傾斜面１を連結しており、２傾斜面１の中央の底ラインが反対面にある平行縁３になる。その中央の底の平行縁３を挟み幅広蛇腹帯体１０の外側平行線部９と内側平行線部８の間で幅広蛇腹傾斜面７と蛇腹体１―Jを構成する２傾斜面１の一部が接合し、蛇腹接合ハニカム杯体１５を形成する。このようにハニカム杯体６と幅広蛇腹帯体１０が立体的に接合することで、通気性のある広い空隙を持つハニカム杯体下空隙層１２が構成される。
【００１０】
ハニカム杯型セル列５Ａの位置を特定したとすると、５Ａを構成する蛇腹体１―Jは一定の位置にある幅広蛇腹傾斜面７と接合する。ハニカム杯型セル列５Ａ（特定列）の蛇腹体１―Jの２傾斜面１の底ラインの平行縁３を挟んだ位置で幅広蛇腹傾斜面７の２面が接合するが、隣接するハニカム杯型セル列５Ｃの２傾斜面１を構成する長方形面１Ｘとは傾斜方向の異なる隣の幅広蛇腹傾斜面７が接合する。このように２傾斜面１を傾斜方向の異なる幅広蛇腹傾斜面７で次々と底面側の全面を覆い接合することで、厚さ方向の圧縮変形を少なくし、広い空隙をもつ形状を強固に保持することができる蛇腹接合ハニカム杯体１５ができる。
【００１１】
図５に、蛇腹接合ハニカム杯体１５の構造と空隙層の関係を示す。上面から下面に向かって特定の位置（ＭＡとＭＢ、ＭＣとＭＤ、ＮＡとＮＢ、ＮＣとＮＤ）で切った側面図で空隙層を示す。ハニカム杯型セル列５Ａの蛇腹体１―J下の空隙層、セル間山形縁列５Ｂの下の空隙層、５Ａとセルピッチを半分（ＳＰ/２）ずらした位置にあるハニカム杯型セル列５Ｃの蛇腹体１―J下の空隙層を塗りつぶし部分で示している。ハニカム杯型セル列５Ａとハニカム杯型セル列５Ｃの蛇腹体１―J下の空隙層は、蛇腹体下空隙層１２Ａと蛇腹体下空隙層１２Ｃであるがセルピッチを半分（ＳＰ/２）ずらした位置関係にあり、セル間山形縁列５Ｂの下の三角形面下空隙層１２Ｂでその間が結ばれ空隙が連結し蛇腹体下空隙層１２ができている。
【００１２】
なお、セル間山形縁列５Ｂの下の塗りつぶし部分で示した三角形面下空隙層１２Ｂは、セル間山形縁列５Ｂの切断位置（図５のＮＣ、ＮＤ）によって空隙部の形状がかわることになる。
【００１３】
図２には、一定の板厚のハニカム杯体側支持面１４と幅広蛇腹帯体側支持面１１を付けた場合の、蛇腹接合ハニカム杯体の構造と空隙層の関係を示す。他の図では幅広蛇腹帯体側支持面１１は薄い材料（図７の場合は材料を厚さが０．１９ミリの紙）を用いているので、板厚は線であらわしている。上部に蛇腹接合ハニカム杯体の斜視図を示し、ＬＡとＬＢで切断した断面の側面図を下部に示す。この例では、ハニカム杯面内空隙部５Ｕ、ハニカム杯体下空隙層１２、幅広蛇腹帯体下空隙層１３の３層の空隙層ができる。
蛇腹体下空隙層１２に加える空隙層は、幅広蛇腹帯体側支持面１１とハニカム杯体側支持面１４の両者またはどちらか一方を付けることで、ハニカム杯面内空隙部５Ｕと幅広蛇腹帯体下空隙層１３の両者またはどちらか一方を設けることができる。また、ハニカム杯型セル５の大きさ、形状を変えることによって、各空隙層の形状を多様に変化させることができる。
【発明の効果】
【００１４】
図６は、本発明の吸音効果の一例を表すものである。垂直入射吸音試験を行った結果のグラフで、材料を紙（厚さが０．１９ミリ）とし、酢酸ビニール樹脂の糊で接着し作成した２種の試験品サンプル各３個の平均のテスト結果をグラフ化した。平行縁３は１０ミリ（図４のＳＷの長さ）、傾斜面は９０度に開口し、蛇腹面縦長さＪＬ（上側の平行縁３と下側の平行縁３の間の長さ）は２０ミリ、境界縁（２Ａ、２Ｂ）は１６ミリ、パネルとしての高さは約１５ミリとなる。パネルとしての高さは、試験品製作時の材料の紙の折り目の若干の寸法の変化が加味されている。なお、蛇腹面縦長さＪＬは長方形面１Ｘの縦の長さでもある。
【００１５】
図７は、ハニカム杯体６を上にして上面から試験品の形状をみたもので、          １０センチの円のなかにハニカム杯体側に支持面のない開口した蛇腹接合ハニカム杯体１５を配置し、円の外側の縁と蛇腹接合ハニカム杯体の間の部分はハニカム杯体側支持面外側部１４Ｂで覆うものとした。図７の上部には上面からみた試験品の平面図を示し、中段には斜視図を示し、下段にはＬＭとＬＮで切断した場合の側面図を示した。ハニカム杯体側支持面外側部１４Ｂは、垂直入射吸音試験をする装置への装着のためのものである。なお、ハニカム杯体側支持面内側部１４Ａは試験品では付けないが、他図（図２など）でハニカム杯体側支持面内側部１４Ａを用いるときは、単にハニカム杯体側支持面１４とあらわす。
【００１６】
試験品Ｅは幅広蛇腹帯体側支持面１１のあるもので、ハニカム杯体側支持面外側部１４Ｂの下の部分を含め空隙層を持つようにした。試験品Ｄは、ハニカム杯体側支持面外側部１４Ｂの下の部分を含め内部に固形物（紙粘土）を充填した。Ｅは図６の下部に示すハニカム杯体側面図６Ｓのハニカム杯体下空隙層１２と幅広蛇腹帯体下空隙層１３が空気層のままで、Ｄはハニカム杯体下空隙層１２と幅広蛇腹帯体下空隙層１３の両方（斜線塗りつぶし部分）が固形物（紙粘土）を充填したものになる。
【００１７】
試験品Eは、２００ヘルツ（Hz）から８００ヘルツ（Hz）の低音域で試験品Dより吸音性能がかなり高く、ほぼ全音域で吸音性能が良い。さらに吸音性能を求める場合では、蛇腹接合ハニカム杯体１５の本体を構成する材料の選択、空隙層をもつ構造（蛇腹接合ハニカム杯体１５の寸法の組み合わせ）変化、充填物の選択利用で目的に合うように手段を追求し効果を出すことができる。
【００１８】
図９、図１０に、本発明の蛇腹接合ハニカム杯体１５と特許文献１のハニカム構造体の厚さ方向の圧縮試験の比較結果を示す。試験は、同じ環境（温度２４．１度、湿度６６％）、同じ条件（同じ試験機で圧縮試験速度は５ｍｍ/ｍｉｎ）でおこなった。蛇腹接合ハニカム杯体１５の試験品Ａ、Ｂのハニカム杯体の形状と材料は特許文献１のハニカム構造体の試験品Ｈと同じで、材料を紙（厚さが０．２５ミリ）とし、酢酸ビニール樹脂の糊で接着し作成した。
【００１９】
図８はハニカム杯体６を上にして試験品を上面からみた形状で、試験品Ａ、Ｂ、Ｈはすべて同じ形状である。試験品Ａ、Ｂの形状は、平行縁３は１０ミリ（図４のＳＷの長さ）、傾斜面は９０度に開口し蛇腹面縦長さＪＬ（上側の平行縁３と下側の平行縁３の間の長さ）は２０ミリ、境界縁（３Ａ、３Ｂ）は１６ミリ、パネルとしての高さは約１５ミリとなる。
【００２０】
特許文献１のハニカム構造体の試験品Ｈは、本発明の蛇腹接合ハニカム杯体１５と同じハニカム杯体６を上面とし、上面のハニカム杯体６と同じ形状でセルピッチを半分（ＳＰ/２）ずらしたものを作成し、両者を上下で合体させたものにした。特許文献１には幾つかのハニカム構造体の作成方法が紹介されているが、上記の製法を選択し試作品Ｈを準備したものである。
【００２１】
図９は、特許文献１のハニカム構造体の試験品Ｈと蛇腹接合ハニカム杯体１５の試験品Ａの厚さ方向の圧縮強度試験の結果を示すグラフである。試験品Ａは、幅広蛇腹帯体側支持面１１もハニカム杯体側支持面１４も付けないもので空隙層はハニカム杯体下空隙層１２だけになる。試験品Ｈは、８．９ｇ、試験品Ａは７．１ｇであり、両者とも高さ約１５ｍｍ、縦横の長さは同じで８５ｍｍである。
【００２２】
試験結果は、０．６１ＫＮ（キロニュートン）の圧縮強度までは両者ともほぼ同様な傾向を示し、０．６１ＫＮで変位が両者ともに約１ｍｍになる。それ以上の圧縮強度では、試験品Ａの変位が多くなり、非弾性座屈（しわが生じる破損）が試験品Ｈより早期に生じる。しかし、変位１ｍｍまで、つまり高さ変化１/15までは、試験品Ａは試験品Ｈとほぼ同じ強度特性があるといえる。試験品Ａは、広い空隙層を持ち軽量であるにもかかわらず、一定の圧縮強度まで強靭な特性があるといえることになる。
【００２３】
図１０は、試験品Ｈと試験品Ａに、蛇腹接合ハニカム杯体１５の蛇腹体下空隙層に充填角柱１６の木材（ヒノキの角柱）を入れた試験品Ｂを追加した厚さ方向の圧縮強度試験の結果を示すグラフである。図１２に、ハニカム杯体６と幅広蛇腹帯体１０の間の空隙層に充填角柱１６を入れる位置関係を示す。充填角柱１６として用いた木材（ヒノキの角柱）は、横幅は平行縁３と同じ１０ミリ、四角の側面は１０ミリで傾斜面の辺の長さ（２０ミリ）の半分にした。この試験品では、１０ミリ立方体の充填角柱１６となり、平行縁３と幅広蛇腹帯体１０の間を隙間なく埋めるものになる。
【００２４】
試験品Ｂの作成は、図１２のように、ハニカム杯体６に充填角柱１６として木材（ヒノキ）の角柱を接着したものを先につくり、その後幅広蛇腹帯体１０を充填角柱１６の２面と２傾斜面１を接着して、木材（ヒノキ）の角柱を充填した試験品Ｂとした。試験品Ｂの重量は、１４．８ｇである。
【００２５】
圧縮試験の結果は、試験品Ｂは変位１ｍｍのところで１．６ＫＮで試験品Ｈ、Ａがともに０・６１ＫＮであるから２．６２倍の強度で、それ以降の傾向も試験品Ｂはより強靭であることが示されている。その理由は、充填角柱１６の強度があることと配置した位置が蛇腹接合ハニカム杯体１５内で安定していることによる。
【００２６】
試験品Ｂの充填角柱１６には木材（ヒノキ）を用いたが、調湿、芳香拡散機能を持つ材料を用いその機能発揮とともに強度の強化を行う例となる。なお、試験品Ｂは充填角柱１６をすべてのハニカム杯型セルに充填したが、一部に入れることで強度は落ちるが軽量にすることもできる。
【００２７】
試験品Ｂは、ハニカム杯体下空隙層１２を充填するものとして角柱をもちいたが、充填する形状、材料等は、製品として利用する目的にそうように、垂直板、パイプなどの固形形状のもの、粉流体や当初は液状で挿入後に固体化する形態のものなどで、活性炭、吸湿剤、脱臭剤、芳香剤、モルタル、石膏、粘土、砂等無機質充填材、木材など多様な組み合わせの中から選択をすることができる。
【００２８】
蛇腹接合ハニカム杯体１５のハニカム杯体下空隙層１２をさらに広くし活用しやすくする方法として、平板部を間に挟む幅広蛇腹帯体１０Ｈを用いる例を図１３に示す。蛇腹接合ハニカム杯体１５は幅広蛇腹帯体の蛇腹の範囲でハニカム杯型セル５の２傾斜面１と接合し強度をたかめるが、図１３の平板部を間に挟む幅広蛇腹帯体１０Ｈは蛇腹部を狭くし平板部を間にいれ空隙層を多くするようにしているので蛇腹接合ハニカム杯体の圧縮強度は弱くなる。しかし、空隙層が多くなりその空隙層に強度補強にもなるモルタル、石膏、珪藻土等を充填する場合は、強度の増強をかねて充填材料の容積を増やすことで調湿、難燃、遮音等の充填材料の持つ機能発揮ができることになり効果的な面がある。
【００２９】
図１１は、蛇腹接合ハニカム杯体１５の蛇腹体１―Jが平行縁３を接線として長方形面１Ｘが連結し続く方向を縦とすると、縦方向（平行縁３をまたぐ方向）には容易に形状を変えることができることを示したものである。ハニカム杯体６はセルピッチを上側と下側で変えることで湾曲させることが容易に出来る。図１１では、ハニカム杯体６を湾曲させた状態で幅広蛇腹帯体１０を接合し曲面のある幅蛇腹接合ハニカム杯体としたものの側面図をあらわした。蛇腹接合ハニカム杯体１５は湾曲させることで円柱状の構造物などに用いることができるし、楕円や波型などの湾曲した構造物への形状適応範囲が広がる。
【図面の簡単な説明】
【００３０】
【図１】上部は本発明の片面であるハニカム杯体の斜視図で、下部は本発明のもう一方の片面である幅広蛇腹体の斜視図で、中央は両者を接合してできる本発明の蛇腹接合ハニカム杯体の斜視図である。
【図２】上部はハニカム杯体側支持面と幅広蛇腹帯体側支持面をつけた本発  明の蛇腹接合ハニカム杯体の斜視図で、下部は上部の斜視図の指定位置で蛇腹体を切断した側面図である。
【図３】蛇腹体を構成する２傾斜面と三角形面二対から形成されるハニカム杯型セルの構成を示す斜視図である。
【図４】下面にハニカム線描を位置したセルとハニカム杯型セル列の上側に幅広蛇腹帯体を位置づけて図１と反対側から本発明の蛇腹接合ハニカム杯体の構成を示す斜視図である。
【図５】右上部と下部にある本発明の蛇腹接合ハニカム杯体の斜視図を示し、図の左部と中間部では、特定の位置で切断した蛇腹体下空隙層と三角形面下空隙層の形状と両者の空隙層のつながりを側面図で示している。
【図６】試験品ＥとＤの吸音試験結果を図示したものである。
【図７】吸音試験に用いた試験品を図の上から上面図、斜視図、側面図の順に示すものである。
【図８】圧縮強度試験品の上面図である。
【図９】特許文献１のハニカム構造体Ｈと本発明の蛇腹接合ハニカム杯体Ａの厚さ方向に対する圧縮強度を示すグラフである。
【図１０】充填角柱をいれた本発明の蛇腹接合ハニカム杯体Ｂを図９の試験品に加えて試験した厚さ方向に対する圧縮強度を示すグラフである。
【図１１】湾曲蛇腹接合ハニカム杯体側面図を示す図である。
【図１２】蛇腹接合ハニカム杯体に充填角柱を入れて製造されるものを例示する斜視図である。
【図１３】平板部を間に挟む幅広蛇腹帯体をもちいた蛇腹接合ハニカム杯体を示す斜視図である。
【図１４】図下部の三角形面帯状シートの折り目を折り曲げてできる三角形面連結帯の斜視図を図上部に示す。
【図１５】長方形面糊代１ＸＮを用い長方形面１Ｘと三角形面連結帯と接合しハニカム杯型セルを構成する斜視図である。
【発明を実施するための形態】
【００３１】
以下、本発明の実施例を図面に基づいて説明する。ただし、以下に示す実施例は、本発明の技術思想を具体化するための蛇腹接合ハニカム杯体を例示するものであって、本発明は蛇腹接合ハニカム杯体を以下のものに特定しない。
【００３２】
本発明の蛇腹接合ハニカム杯体は、建物や車両、道路などにパネルとして使用され、あるいは、建物の壁や床等の芯材、内部に空隙層を有するパネルや各種構造物の芯材として使用される。この蛇腹接合ハニカム杯体はハニカム杯体６と幅広蛇腹帯体１０からなるが、ハニカム杯体６は紙、プラスチック、金属板、不織布、布、木材板、陶磁器板のいずれかからなる薄板を所定の立体形状に加工して成形され、幅広蛇腹帯体１０は薄板だけでなく厚板の紙、プラスチック、金属板、不織布、布、木材板、陶磁器板などの片面を蛇腹状に成形できる多様な材料を使用できる。以下、本発明の構造について詳述する。
【００３３】
図１に示す蛇腹接合ハニカム杯体は、所定の厚さを有する板状に成形されており、ハニカム杯体６に幅広蛇腹帯体１０を接合しているものを、ハニカム杯体６を上に位置した状態で図示している。幅広蛇腹帯体１０はハニカム杯体６と区別するために、図１の表示では上側を斜線で下側を方向の異なる斜線で塗りつぶして図示している。
【００３４】
ハニカム杯体６は、開口縁をハニカム形状とするハニカム杯型セル５を規則正しく配列して面を形成している。ハニカム杯体６は、ハニカム杯型セル５を構成単位として、その開口縁である平行縁３と山形縁４を隣接するもの同士で共有してハニカム凹部が面を覆うように連結して構成される。
【００３５】
ハニカム杯型セル５は、図１にあるようにハニカム杯体６を上に位置した状態（ハニカム杯型セル５の開口縁を上に位置した状態）で図示すると下部は明示できないが、図３、図４では下部を含めたハニカム杯型セル５の形状を図示する。
【００３６】
図３では、図の上側からハニカム杯型セル５が構成されていく過程を図示する。蛇腹体１−Jの一部である上部が開口している２傾斜面１に三角形面二対２Ｔを接合し、図３の上部の右側に上面にハニカム線描を位置した右側端セルである「上向きハニカム杯型右側端セル５−１Ｍ」を、左側に上面にハニカム線描を位置した左側端セルである「上向きハニカム杯型左側端セル５−１Ｈ」が構成されることを示す。図３の中段にかけては、上部が開口している２傾斜面１の左右に三角形面二対２Ｔを接合し、上面にハニカム線描を位置したセルである「上向きハニカム杯型セル５−１」が構成されることを示す。図３の下側には、下部が開口している２傾斜面１の左右に三角形面二対２Ｔを接合し下面にハニカム線描を位置したセルである「下向きハニカム杯型セル５−２」が構成されることを示す。
【００３７】
図１にあらわすハニカム杯体６の同一平面上の左には、図３で示す上向きハニカム杯型左側端セル５−１Ｈを、同一平面上の右には、図３で示す上向きハニカム杯型右側端セル５−１Ｍを配置している。上記は端セルの構成方法の例であるが、本発明はこの方法に限定するものではない。
【００３８】
図４の上側から、ハニカム杯型セル５を帯状に連結し下面にハニカム線描を位置した状態で描きハニカム杯型セル列５Ａと側面に連結するセル間山形縁列５Ｂおよぶ５Ｂに連結するハニカム杯型セル列５Ｃの位置関係を示す。ハニカム杯型セル列５Ｃは図を簡明にするため一つの下向きハニカム杯型セル５−２で代表させた。ハニカム杯型セル５の同一平面にある平行縁３の間隔をセルピッチとしＳＰと略してあらわす。ハニカム杯型セル５（図４では下向きハニカム杯型セル５−２）は、側面方向で２分の１のセルピッチで隣のハニカム杯型セル５と接合して、面状にハニカム杯体６を構成する。
ハニカム杯型セル５の平行縁３の長さを、セル幅としＳＷと略しあらわす。セル幅ＳＷはハニカム杯型セル列ごとに長さを変えることもできる。セル幅ＳＷは長方形面１Ｘの横の長さでもあるが、長方形面１Ｘの縦の長さは蛇腹面縦長さとしＪＬとあらわす。
【００３９】
幅広蛇腹帯体１０は、幅広蛇腹面７が蛇腹状に接合している。幅広蛇腹帯体１０とハニカム杯体６との寸法の関係は、図４に示すようになる。幅広蛇腹面７の開口する平行縁間隔は２分の１のセルピッチ（ＳＰ／２）で、幅広蛇腹面７の縦長さはハニカム杯体６の蛇腹面縦長さの２分１（ＪＬ／２）の形状とする。その寸法のものでハニカム杯体６と幅広蛇腹帯体１０とが接合し、本発明の蛇腹接合ハニカム杯体１５が構成される。
【００４０】
図２には、幅広蛇腹帯体側支持面１１を蛇腹接合ハニカム杯体１５の下部に接合し、さらに、ハニカム杯体側支持面１４を上部に接合し上下の板材で蛇腹接合ハニカム杯体を挟んだパネル状の形態を示す。図２の下側には両支持面をつけた状態でハニカム杯型セル列５Ａの蛇腹体１―Jを縦に切断した位置でみた側面図を、ハニカム杯型セル列５ＡのＬＡとＬＢでの範囲で切り取った部分で示す。空隙部分を塗りつぶすことなく表示しハニカム杯体側面図６Ｓの形を見やすくしたが、蛇腹接合ハニカム杯体の内部に広い空隙層を持つことが描けている。ハニカム杯面内空隙部５Ｕ以外の空隙層、即ちハニカム杯体下空隙層１２と幅広蛇腹帯体下空隙層１３は、パネル等の製品として完成した後でも、側面から顆粒や液状の材料の充填が容易にできる効果がある。
【００４１】
蛇腹接合ハニカム杯体は、以下のようにして製造することができる。図１４、図１５には、紙や樹脂などの折曲と接着ができるシート材料でハニカム杯体６を作成する方法を示している。
図１４の下側には、シート材料を、Ｄ１、Ｄ２、Ｄ３を端点としジグザグに結ぶ実線とＥ１、Ｅ２、Ｅ３を端点としジグザグに結ぶ実線で元材料から裁断して帯状に切り取り、同時に２Ａ、２Ｂ、２Ｃの一点鎖線部に折り目となる筋付けをした三角形面帯状シート２Ｘをあらわしている。図１４の上側には、筋付けした部分を折り曲げ三角形面連結帯２Ｙの形状にする。三角形面連結帯２Ｙの２Ａと２Ｂで山形縁４を構成し、２Ｃは三角形面２の２面を結ぶ境界線となるようにする。三角形面２は２面を結ぶ境界線２Ｃを中心に左右対称形のものとする。
【００４２】
図１５の上側には、長方形面１Ｘの側面に長方形面糊代１ＸＮを付けて元材料から裁断した長方形面糊代付き帯状シート１ＸＮＳをあらわしている。長方形面糊代１ＸＮは斜線をつけてあらわしているが、長方形面糊代１ＸＮと長方形面１Ｘをつなぐ線と一点鎖線で示す平行縁3には折り目となる筋付けをする。長方形面糊代付き帯状シート１ＸＮＳは、筋付けした平行縁３のところで折り曲げて蛇腹形状にし、長方形面糊代１ＸＮと長方形面１Ｘとの間の接線で折り曲げて、図１５の中央左側に示すように仮のハニカム杯型セルの状態にし、そのうえで長方形面糊代１ＸＮと三角形面連結帯２Ｙと接合しハニカム杯型セル５にする。個々のハニカム杯型セル５に着目してみれば、長方形面糊代１ＸＮに対しては三角形面二対２Ｔが接合していることになる。図１５では、下向きハニカム杯型セル５−２を簡潔に表わしているが、長方形面糊代１ＸＮを連続的に三角形面連結帯２Ｙと接着していくことでハニカム杯体が形成されることになる。
【００４３】
ハニカム杯型セル5の形状は、三角形面２の形状によって同じ２傾斜面1と接合する場合も、２傾斜面の角度と山形縁の形状が変化する。境界縁２Ａ、境界縁２Ｂ、境界縁２Ｃは変化させることができ、そのことによって、開口縁の６角形の形状、セルピッチを変えることができ、ハニカム杯体６の高さも変えることができる。
【００４４】
ハニカム杯体６の作成は、紙や樹脂などの折曲と接着でできるが、長方形面糊代１ＸＮを用いる方法は一例であり、他の方法でも、たとえば三角形面２に糊代をつけても作成できる。また、プラスチック、金属などの材料では、射出成型やプレス成型で作成できる。
【００４５】
ハニカム杯体下空隙層１２の活用法の目的に応じて適切になるように、ハニカム杯体６の材料および幅広蛇腹帯体１０の材料の選択をすることができる。次に、例示する。
（１）暖房のための放熱を目的にハニカム杯体６は放熱材料を用い、幅広蛇腹帯体１０は断熱材料をもちいる。
（２）芳香剤をハニカム杯体下空隙層１２に充填しその拡散を目的に、ハニカム杯体６は通気性のある材料を用い、幅広蛇腹帯体１０は通気性のない材料を用いる。
【００４６】
幅広蛇腹帯体側支持面１１を幅広蛇腹帯体１０に接合して用いる場合は幅広蛇腹帯体下空隙層１３ができるが、その活用法の目的に応じて適切になるように、上記の例と同様に幅広蛇腹帯体側支持面１１の材料および幅広蛇腹帯体１０の材料の選択をすることができる。また、幅広蛇腹帯体１０を穴あきの通気性のあるものにし、ハニカム杯体下空隙層１２と幅広蛇腹帯体下空隙層１３を一体のものとして利用できるが、次に例示する。
（１）断熱・遮音性のある粒状材料（セラミック、砂など）をハニカム杯体下空隙層１２と幅広蛇腹帯体下空隙層１３の両方にハニカム杯体６の形状の保持をしつつ充填をする。
（２）不燃性又は難燃性のある当初は液状の材料（モルタル、石膏など）をハニカム杯体下空隙層１２と幅広蛇腹帯体下空隙層１３の両方にハニカム杯体６の形状の保持をしつつ充填をする。充填した材料は幅広蛇腹帯体側支持面１１を挟んで固体化されることで、不燃性又は難燃性の向上と強度の増強になる。
【００４７】
蛇腹接合ハニカム杯体１５は、単層で使用することもできるが、複数枚を積層して所望の厚さと強度とするもできる。積層することによって厚さの調節、吸音・遮音、断熱、拡散、強度増強など目的とする機能の拡張をすることができる。図示はしないが、他例をあげると、幅広蛇腹帯体１０の蛇腹が９０度交差するように２つの蛇腹接合ハニカム杯体１５を幅広蛇腹帯体側支持面１１で接着すれば、縦のせん断力と横のせん断力が同等の強度のものが実現でき、強度がより強いものになる。
【００４８】
蛇腹接合ハニカム杯体１５は、他の材料を充填することで強度の強化、防音、断熱、調湿、芳香剤等拡散等の機能を発揮することができる。材料の充填方法は、固形物の場合は。図１２に示すように、下面にハニカム線描を位置したハニカム杯体６に先に充填材料を配置又は接着した後に幅広蛇腹帯体１０を接合することで、容易に充填材１６をいれた蛇腹接合ハニカム杯体１５を作製できる。
【００４９】
充填材料が、石膏やモルタルのように当初は液状のものや砂や活性炭など粒状の材料である場合は蛇腹接合ハニカム杯体１５の上下をジグ型で固定し、側面のハニカム杯体下空隙層１２の開口部から注入し充填することができる。たとえば、モルタルは、未硬化の状態でハニカム杯体下空隙層１２の内部に充填し、その後、硬化させることにより強度を高め、遮音、難燃機能を高めることができる。
【符号の説明】
【００５０】
１…２傾斜面                    
１Ｘ…長方形面  
１ＸＮ…長方形面糊代
１ＸＮＳ…長方形面糊代付き帯状シート
１―Ｊ…蛇腹体
２…三角形面
２Ａ…境界縁
２Ｂ…境界縁
２Ｃ…境界縁
２Ｘ…三角形面帯状シート
２Ｙ…三角形面連結帯
２Ｔ…三角形面二対
３…平行縁
４…山形縁
５…ハニカム杯型セル
５−１…上向きハニカム杯型セル        
５−２…下向きハニカム杯型セル
５−１Ｈ…上向きハニカム杯型左側端セル
５−１Ｍ…上向きハニカム杯型右側端セル
５Ａ…ハニカム杯型セル列（位置指定時は特定位置列）
５Ｂ…セル間山形縁列
５Ｃ…ハニカム杯型セル列 (5Ａ隣接)
５Ｕ…ハニカム杯面内空隙部
６…ハニカム杯体    
６Ｓ…ハニカム杯体側面図
７…幅広蛇腹傾斜面
８…内側平行線部
９…外側平行線部
１０…幅広蛇腹帯体  
１０Ｈ…平板部を間に挟む幅広蛇腹帯体
１１…幅広蛇腹帯体側支持面
１２…ハニカム杯体下空隙層
１２Ａ…蛇腹体下空隙層（位置指定時は特定位置）
１２Ｂ…三角形面下空隙層
１２Ｃ…蛇腹体下空隙層（１２ＡとＳＰ／２ずれた位置にあるもの）
１３…幅広蛇腹帯体下空隙層
１４…ハニカム杯体側支持面  
１４Ａ…ハニカム杯体側支持面内側部  
１４Ｂ…ハニカム杯体側支持面外側部
１５…蛇腹接合ハニカム杯体
１５Ａ…蛇腹接合ハニカム杯体（本体）
１５Ｂ…蛇腹接合ハニカム杯体上面図
１５Ｂ−Ｔ…試験品蛇腹接合ハニカム杯体上面図
１５Ｓ…蛇腹接合ハニカム杯体側面図
１５Ｒ…湾曲蛇腹接合ハニカム杯体側面図                                
１６…充填材  
１６Ａ…充填角柱
【要約】
【課題】ハニカム杯体を構成する六角形の開口縁でライン状に片面を支持し、他の片面は幅広蛇腹帯体を構成する平行線で開口部を支持し、両片を結合した構造体内部に立体形状を強固に保持する空隙層を持つ。
【解決手段】２つの長方形面を連結部で折ってできる２傾斜面の左右に三角形面２対を角度つけ広げ結合してできる六角形の開口縁をもつハニカム杯型セルを隙間なく並べ、ハニカム杯体を片面に構成する。他の片面は幅広蛇腹帯体とし、その幅広蛇腹傾斜面でハニカム杯体の長方形面一部を覆って両者を結合し、内部にハニカム杯体下空隙層を持つ強靭な圧縮強度をもつ蛇腹接合ハニカム杯体を構成する。
【選択図】図１【図１】
0005817013.tif 000002
【図２】
0005817013.tif 000003
【図３】
0005817013.tif 000004
【図４】
0005817013.tif 000005
【図５】
0005817013.tif 000006
【図６】
0005817013.tif 000007
【図７】
0005817013.tif 000008
【図８】
0005817013.tif 000009
【図９】
0005817013.tif 000010
【図１０】
0005817013.tif 000011
【図１１】
0005817013.tif 000012
【図１２】
0005817013.tif 000013
【図１３】
0005817013.tif 000014
【図１４】
0005817013.tif 000015
【図１５】
0005817013.tif 000016